(57)【要約】【課題】燃料噴射弁内部形状推定方法において、燃料噴射弁の内部形状の推定精度を向上させることである。【解決手段】コンピュータを用いて、燃料噴射弁内部燃料流路と計算格子とを有するノズルモデルと、噴射条件と、実測で得られた実測ノズル流量係数Ｃｄ´とを表すデータを取得し（Ｓ１）、噴孔入口端縁部の仮曲率半径Ｒａを表すデータを設定または取得し（Ｓ２）、ノズルモデルと噴射条件と仮曲率半径Ｒａとを表すデータから、気液混相流数値解析法を用いてノズル弁体フルリフトの定常状態での噴孔内部燃料流動を数値解析し（Ｓ３）、算出ノズル流量係数Ｃｄを算出し（Ｓ４）、実測ノズル流量係数Ｃｄ´と算出ノズル流量係数Ｃｄとの差が設定された所定のずれ許容範囲内にあるか否かを判定し（Ｓ５）、判定結果が肯定である場合に仮曲率半径Ｒａを実際の曲率半径として推定する（Ｓ６）。【選択図】図３
2009299561.tif 000002
【特許請求の範囲】
【請求項１】
燃料を噴出する噴孔を有する燃料噴射弁の内部形状を、コンピュータを用いて推定する方法であって、
燃料噴射弁内部燃料流路と計算格子とを有するノズルモデルと、燃料噴射弁に加える燃料噴射圧を含む噴射条件と、実測で得られた実測ノズル流量係数Ｃｄ´とを表すデータを取得する工程と、
噴孔入口端縁部の仮曲率半径Ｒａを表すデータを設定または取得する工程と、
ノズルモデルと噴射条件と仮曲率半径Ｒａとを表すデータから、気液混相流数値解析法を用いて燃料噴射弁全開の定常状態での噴孔内部燃料流動を数値解析し、算出ノズル流量係数Ｃｄを算出する工程と、
実測ノズル流量係数Ｃｄ´と算出ノズル流量係数Ｃｄとの差が、設定された所定のずれ許容範囲内にあるか否かを判定し、判定結果が肯定である場合に仮曲率半径Ｒａを実際の曲率半径として推定し、判定結果が否定である場合に算出ノズル流量係数Ｃｄの算出に使用する仮曲率半径Ｒａを変更する工程と、を備えることを特徴とする燃料噴射弁内部形状推定方法。
【請求項２】
請求項１に記載の燃料噴射弁内部形状推定方法において、
推定された噴孔入口端縁部の曲率半径Ｒａを含む条件を用いて、燃料噴射弁の開閉動作に伴う非定常状態で、噴孔出口の噴射特性を推定する工程と、
推定された噴射特性を用いて、燃料噴霧特性を推定する工程と、を備えることを特徴とする燃料噴射弁内部形状推定方法。
【請求項３】
燃料を噴出する噴孔を有する燃料噴射弁の内部形状を推定する装置であって、
燃料噴射弁内部燃料流路と計算格子とを有するノズルモデルと、燃料噴射弁に加える燃料噴射圧を含む噴射条件と、実測で得られた実測ノズル流量係数Ｃｄ´とを表すデータを取得する手段と、
噴孔入口端縁部の仮曲率半径Ｒａを表すデータを設定または取得する手段と、
ノズルモデルと噴射条件と仮曲率半径Ｒａとを表すデータから、気液混相流数値解析法を用いて燃料噴射弁全開の定常状態での噴孔内部燃料流動を数値解析し、算出ノズル流量係数Ｃｄを算出する手段と、
実測ノズル流量係数Ｃｄ´と算出ノズル流量係数Ｃｄとの差が、設定された所定のずれ許容範囲内にあるか否かを判定し、判定結果が肯定である場合に仮曲率半径Ｒａを実際の曲率半径として推定し、判定結果が否定である場合に算出ノズル流量係数Ｃｄの算出に使用する仮曲率半径Ｒａを変更する手段と、を備えることを特徴とする燃料噴射弁内部形状推定装置。
【請求項４】
請求項３に記載の燃料噴射弁内部形状推定装置において、
推定された噴孔入口端縁部の曲率半径Ｒａを含む条件を用いて、燃料噴射弁の開閉動作に伴う非定常状態で、噴孔出口の噴射特性を推定する手段と、
推定された噴射特性を用いて、燃料噴霧特性を推定する手段と、を備えることを特徴とする燃料噴射弁内部形状推定装置。
【発明の詳細な説明】
【技術分野】
【０００１】
本発明は、燃料を噴出する噴孔を有する燃料噴射弁の内部形状を、コンピュータを用いて推定する方法と、燃料噴射弁内部形状推定装置とに関する。
【背景技術】
【０００２】
従来から、インジェクタと呼ばれる燃料噴射弁として、先端に噴孔を有するノズルボディと、ノズルボディ内に往復移動可能に設けられたニードル弁体と、ノズルボディが取り付けられる本体と、ニードル弁を駆動する駆動装置とを備える構造が考えられている。駆動装置は、例えば、電磁コイルと可動鉄心等を有するソレノイドである。
【０００３】
このような燃料噴射弁は、燃料タンクから燃料ポンプにより吸い上げられた燃料を噴出させ、エンジンのシリンダ内に噴射させる。エンジンは、噴射された燃料の燃焼により、シリンダ内でピストンを往復運動させる。
【０００４】
燃料噴射弁の噴孔から噴出される燃料の噴霧形状は、点火プラグによる着火性や、燃費、排出ガス規制、エンジン出力等に影響するので、噴霧形状を精度よく予測することが要求されている。これに対して、特許文献１には、コンピュータで作成した三次元ノズルモデルを用いて、燃料の性状及び設定圧力等の計算初期条件から、ノズルの上流流れと、ノズルの出口面の円周分割要素毎の液膜の分布及び流速と、噴霧粒子の粒径及び分布とを計算して燃料の噴霧形状を解析する方法が記載されている。
【０００５】
また、非特許文献１には、噴孔の直径に対する噴孔入口の端縁部の曲率半径を推定し、その推定した曲率半径を使用して、ニードル弁体が移動する際の噴孔内の流れを計算することが記載されている。
【０００６】
【特許文献１】特開２００７−１５０６５８号公報
【非特許文献１】Ryo Masuda他、「Validation of Diesel Fuel Spray and Mixture Formation from Nozzle Internal Flow Calculation」,SAE Paper,No2005-01-2098,2005
【発明の開示】
【発明が解決しようとする課題】
【０００７】
従来から、ノズルボディの製造時にノズルボディ内に研磨剤を混入させた液体を流動させることにより、ノズルボディの内面に流体研磨を施すことが考えられている。この場合、ノズルボディに設けられた噴孔の入口端縁部にも流体研磨が施され、噴孔の入口端縁部に曲率半径を有するＲ部が形成される。すなわち、入口端縁部に丸みが付けられる。このため、ノズル内部の燃料流れを解析する際には、このようなＲ部を含む入口端縁部の形状を精度よく再現した計算格子を用いなければ、精度の高いノズル流量係数を得られず、噴射率、噴霧形状、噴霧粒子の粒径等の噴霧特性を精度よく予測することが難しい。ただし、流体研磨で形成される噴孔入口端縁部の曲率半径Ｒａは、設計段階で図面に指示されるものではなく、設計段階で設定することは難しい。これに対して、特許文献１には、噴孔の入口端縁部の曲率半径を考慮することは記載されていない。このため、特許文献１に記載された噴霧形状の解析方法の場合、噴霧形状を精度よく予測する面から改良の余地がある。
【０００８】
［先発明の説明］
また、本発明者は、本発明に先立って次のような燃料噴霧特性の推定方法に関する先発明を発明した。図４から図１４は、先発明とその先発明により得られた結果とを説明するための図である。図４は、先発明の推定方法を適用する燃料噴射弁の断面図である。図５は、先発明の推定方法を示すフローチャートである。図６は、図５のステップＳ１を詳しく説明するためのフローチャートである。図７は、噴孔を有するノズルボディと、ニードル弁体との一部と、計算格子とを示す図である。図８は、流量係数の実測値と、計算例とを比較して示す図である。図９は、ニードル弁体のリフト量が小さい燃料噴射の開始時及び終了時において、ニードル弁体とノズルボディとの一部と、計算格子とを含むノズルモデルを示す図である。図１０は、ニードル弁体のフルリフト時である、弁全開時において、ニードル弁体とノズルボディとの一部と、計算格子とを含むノズルモデルを示す図である。図１１は、噴孔内の燃料流動の計算に使用する、ニードル弁体の移動量の時間変化を示す図である。図１２は、ニードル弁体のフルリフト時である、弁全開時において、噴孔内及び噴孔出口の空隙率分布を示す図である。図１３は、燃料噴霧特性の実験結果と計算結果とを、経過時間が異なる３例ずつで示す模式図である。図１４は、図１３をより精度よく示す図である。
【０００９】
まず、図４に示すように、先発明の燃料噴霧特性の推定方法を適用する燃料噴射弁であるインジェクタ１０は、例えば、ディーゼルエンジンのシリンダ１２内へ直接燃料を噴射するものであり、ノズルボディ１４と、ノズルボディ１４内で往復移動するニードル弁体１６とを備える。ノズルボディ１４の下部内周に設けられた弁座部にニードル弁体１６を当接可能としている。ノズルボディ１４の下端部の周方向複数個所、例えば６個所位置に噴孔１８を、ノズルボディ１４の軸方向（図４の上下方向）に対し傾斜する方向に形成している。ニードル弁体１６の往復移動により、ノズルボディ１４内に供給された燃料が噴孔１８を通じて、ノズルボディ１４の外側、すなわちシリンダ１２内に噴出されるようにしている。
【００１０】
また、図５に示すように、先発明の燃料の噴霧特性の推定方法は、大きく分けて３工程を備える。なお、図４に示した要素と同一の要素には同一符号を用いて説明する。まず、ステップＳ１で、インジェクタ１０の全開、すなわち、ニードル弁体１６のフルリフトでの定常状態でのノズル流量係数を計算し、実測ノズル流量係数と比較する工程を行う。そして、この比較から噴孔１８入口の端部のＲ部を含む噴孔入口形状を推定する。ここで、ノズル流量係数は、次の（１）式のＣｄで表されるものである。
【００１１】
Ｑ＝Ｃｄ・Ａ・（２Ｐdif／ρ）1/2      （１）
ここで、Ｑは噴孔１８出口の燃料の流量（ｍ3／ｓ）であり、Ａは噴孔１８の出口部の面積（ｍ2）であり、Ｐdifは、インジェクタ１０の噴出前後の圧力差、ρは、燃料密度（ｋｇ／ｍ3）である。また、Ｐdifは、インジェクタ１０に加える圧力である燃料噴射圧Ｐ１と、筒内圧Ｐ２との差圧である（Ｐdif＝Ｐ１−Ｐ２）。また、ノズル流量係数は、例えば、Ｃｄ＝１であれば、噴孔１８で生じる損失がないことを意味する。実際には、例えば、Ｃｄは約０．６〜０．９である。また、Ａは設計値から一義的に定められる既知の値である。
【００１２】
図６において、上記の図５に示したステップＳ１の工程をより詳しく説明する。まず、図６のステップＳ１で噴孔１８入口端縁部の曲率半径Ｒａを、作業者が任意に仮定して設定する。例えば、噴孔１８の長さ方向中間部の直径をＤとした場合に、噴孔１８入口端縁部の曲率半径Ｒａは、Ｒａ＝０．１０Ｄを満たすと仮定する。Ｄは設計値から一義的に定められる既知の値である。そして図６のステップＳ２で、このように仮定したＲａを用いて、コンピュータで、作業者が、ニードル弁体１６とノズルボディ１４との間、噴孔１８等を含むインジェクタ内部燃料流路と計算格子とを有するノズルモデルを作成する。例えば、図７は、ニードル弁体１６とノズルボディ１４との間、噴孔１８を含むノズルモデルの１例を示す図である。噴孔の直径Ｄと、噴孔入口端縁部の曲率半径Ｒａとは、図７に示すように設定される。なお、図７の符号は、説明の便宜上記載したもので、実際のノズルモデルには記載されない（後述する図９、図１０も同様である）。
【００１３】
次いで、図６のステップＳ３で、インジェクタ１０の全開、すなわちニードル弁体１６のフルリフトの定常状態で、燃料を液相のみの単相流として、噴孔１８内流れをコンピュータで解析し、燃料流量Ｑを求め、ステップＳ４で、上記の（１）式からノズル流量係数Ｃｄを計算し、コンピュータのディスプレイ上に表示させる。この場合の計算に使用する入力条件は、例えば、ノズルモデルと、ディーゼル燃料等の燃料種、噴射圧力等の噴射条件とである。
【００１４】
次いで、ステップＳ５で、計算で得られたノズル流量係数Ｃｄと、予め計算と同条件で行われた実測で得られている実測ノズル流量係数Ｃｄ´とを、作業者が比較する。そして、ステップＳ６でＣｄとＣｄ´とが一致または、ほぼ一致していると作業者が判断した場合に、ステップＳ７に移行し、ステップＳ１で仮定した噴孔入口端縁部の曲率半径Ｒａを実際の曲率半径Ｒａであると推測して、Ｒａを確定し、Ｒａを含む噴孔入口形状の推定を終了する。これに対して、ステップＳ６において、ＣｄとＣｄ´とが一致していない、または、ＣｄとＣｄ´とのずれが許容範囲以上に大きいと作業者が判断した場合には、再びステップＳ１に戻り、噴孔入口端縁部の曲率半径Ｒａを現在設定されている値とは別の値に仮定、すなわち設定し直し、再び、ステップＳ２からＳ６を繰り返す。このような方法によれば、計算したノズル流量係数が実際の値と一致する、またはほぼ一致する場合の、曲率半径Ｒａを実際の曲率半径として推定できる。
【００１５】
例えば、図８は、ノズル流量係数の実測値、すなわち実測ノズル流量係数Ｃｄ´と、噴孔入口端縁部の曲率半径Ｒａを異ならせて、ノズル流量係数を計算した３例（計算例１，２，３）、すなわち計算されたノズル流量係数Ｃｄとを比較している。計算例１は、曲率半径Ｒａを０％、すなわち噴孔入口端縁部に丸みが全くない場合を、計算例２は、曲率半径Ｒａを噴孔１８の直径Ｄ（図７）の１０％、すなわちＲａ＝０．１０Ｄとした場合を、計算例３は、曲率半径Ｒａを噴孔１８の直径Ｄの２０％、すなわちＲａ＝０．２０Ｄとした場合を、それぞれ示している。図８の比較結果から明らかなように、図８の検討例の場合には、計算例２のノズル流量係数が実測値とほぼ一致したため、計算例２で仮定した曲率半径Ｒａ、すなわち、噴孔１８の直径Ｄの１０％を、実際の曲率半径として推定できる。また、上記で説明したように、図６のフローチャートでは、ステップＳ１のＲａの仮定、ステップＳ２のノズルモデルの作成、ステップＳ５、Ｓ６の比較、判定は、それぞれ作業者が行うことが考えられている。
【００１６】
次に、図５に戻り、ステップＳ２で、このように推定した噴孔入口形状を含む条件を用いて、ニードル弁体１６を往復移動させる、インジェクタ１０の開閉動作に伴う非定常状態で、噴孔１８内の燃料流動特性及び噴孔１８出口の燃料噴射特性を、作業者がコンピュータで計算し、コンピュータのディスプレイ上にこれらの特性に基づく画像を出力、すなわち表示させる工程を行う。このために、図６のステップＳ７で推定したＲａによりノズルモデルを修正したものを用いて、上記の非定常状態で、燃料流動特性及び燃料噴射特性を計算する。このような非定常状態の計算は、燃料が気液混相流であるとして、気液混相流数値解析法を用いて行う。例えば、ノズルモデルは、図９に示すように、ニードル弁体１６のリフト量最小時の燃料噴射の開始時及び終了時のものと、図１０に示すように、ニードル弁体１６のフルリフト時のものとを含んで作成する。
【００１７】
そして、図９に示す状態と、図１０に示す状態との間で、ニードル弁体１６を一定の時間ずつの動きとして徐々に移動させて、ノズルボディ１４とニードル弁体１６との間部分２２に形成される計算格子の間隔を、ニードル弁体１６の動きに応じて伸び縮みさせ、それぞれの状態で計算を行う。また、例えば、図１１に示すように、ニードル弁体１６のリフト量は、燃料噴射開始時から時間に比例して上昇させ、最大リフト量を一定時間保持し、その後、時間に比例して低下させる。
【００１８】
このようにして行った計算の結果は、例えば、図１２に示すように、ディスプレイ上に噴孔１８内の燃料流動特性と噴孔１８出口の燃料噴射特性として表示させる。図１２では、ニードル弁体１６（図４等参照）のフルリフト時において、噴孔１８内及び噴孔１８出口の空隙率分布、すなわち気泡含有率分布を示しており、噴孔１８内の白地で示す部分は空隙率が最も高いことを表しており、梨地で示す部分、斜格子で示す部分、黒地で示す部分の順に空隙率が徐々に低くなることを表している。このような計算に使用する入力条件は、例えば、インジェクタ１０の内部形状の計算格子と、図１１に１例を示す様なニードル弁体１６のリフト量のタイムチャートとである。また、この計算で得られる出力は、例えば、ノズル流量係数と、噴孔１８出口の瞬時流量である噴射率と、噴孔１８出口面のキャビテーション、流速、及び乱れの分布と、噴孔１８内の空隙率分布とである。
【００１９】
そして、図５のステップＳ３で、ステップＳ１で求められた噴孔１８出口の、すなわち、噴孔１８出口面のキャビテーション、流速、及び乱れの分布を境界条件、すなわち計算の入力条件として、噴孔１８出口から噴出する燃料噴霧特性を作業者がコンピュータで計算し、ディスプレイ上に表示させる工程を行う。噴霧特性の出力は、例えば、燃料噴霧長さであるペネトレーションと、燃料液滴の平均粒径である。
【００２０】
図１３、図１４の（ｂ１）（ｂ２）（ｂ３）は、噴霧特性の計算結果の１例であり、１つの噴孔からの噴霧形状をディスプレイに表示させたものである。図１３、図１４において、ｔは噴霧開始からの経過時間を表している。また、図１３、図１４の（ａ１）（ａ２）（ａ３）は、それぞれ（ｂ１）（ｂ２）（ｂ３）の時間経過に対応するノズルボディ下側から撮影した実験結果を示す図である。図１３、図１４の（ａ１）（ａ２）（ａ３）と（ｂ１）（ｂ２）（ｂ３）とを比較すれば明らかなように、先発明の方法では計算結果と実験結果とがかなり近いことを確認できた。
【００２１】
上記のような先発明の方法では、噴孔１８入口の流体研磨により形成される入口端縁部の曲率半径も考慮して、噴孔１８出口の噴射特性、及び、噴霧特性を計算することができる。また、噴孔１８出口の噴射特性を計算する際に、気液混相流数値解析法を用いている。噴孔１８内部の実際の燃料流れは、気液混相流であることが分かっているため、先発明の方法により、噴射特性及び噴霧特性を求めることにより、噴射特性及び噴霧特性の推定精度をある程度高くできる。
【００２２】
ただし、上記の図６で説明したように、噴孔入口形状を推定する際には、噴孔１８内の流れを液相のみの単相流として解析し、ノズル流量係数が計算値と実測値とが一致またはほぼ一致する場合の、噴孔１８入口の曲率半径Ｒａを推定している。これに対して、実際の噴孔１８内ではキャビテーションが発生し、上記のように噴孔１８内の流れは気液混相流であることが分かっている。また、噴孔１８内のキャビテーション数｛＝（噴射圧−雰囲気圧）／（雰囲気圧−燃料の飽和蒸気圧）｝を実験で求めることによっても、噴孔１８内にはキャビテーションが発生していることが分かっている。このようなキャビテーションが発生する場合には、噴孔１８から吐出される燃料の流量低下が無視できないほどに大きくなる可能性がある。このため、上記の先発明の方法の場合には、噴孔１８入口の曲率半径Ｒａを含むインジェクタ１０の内部形状を高精度で推定する面からはまだ改良の余地がある。このため、噴孔１８内の燃料流動特性と噴孔１８出口の噴射特性と、燃料噴霧特性とを高精度で推定する面からもまだ改良の余地がある。
【００２３】
本発明の目的は、燃料噴射弁内部形状推定方法及び燃料噴射弁内部形状推定装置において、燃料噴射弁の内部形状の推定精度を向上させることを目的とする。
【課題を解決するための手段】
【００２４】
本発明に係る燃料噴射弁内部形状推定方法は、燃料を噴出する噴孔を有する燃料噴射弁の内部形状を、コンピュータを用いて推定する方法であって、燃料噴射弁内部燃料流路と計算格子とを有するノズルモデルと、燃料噴射弁に加える燃料噴射圧を含む噴射条件と、実測で得られた実測ノズル流量係数Ｃｄ´とを表すデータを取得する工程と、噴孔入口端縁部の仮曲率半径Ｒａを表すデータを設定または取得する工程と、ノズルモデルと噴射条件と仮曲率半径Ｒａとを表すデータから、気液混相流数値解析法を用いて燃料噴射弁全開の定常状態での噴孔内部燃料流動を数値解析し、算出ノズル流量係数Ｃｄを算出する工程と、実測ノズル流量係数Ｃｄ´と算出ノズル流量係数Ｃｄとの差が、設定された所定のずれ許容範囲内にあるか否かを判定し、判定結果が肯定である場合に仮曲率半径Ｒａを実際の曲率半径として推定し、判定結果が否定である場合に算出ノズル流量係数Ｃｄの算出に使用する仮曲率半径Ｒａを変更する工程と、を備えることを特徴とする燃料噴射弁内部形状推定方法である。
【００２５】
また、本発明に係る燃料噴射弁内部形状推定方法において、好ましくは、推定された噴孔入口端縁部の曲率半径Ｒａを含む条件を用いて、燃料噴射弁の開閉動作に伴う非定常状態で、噴孔出口の噴射特性を推定する工程と、推定された噴射特性を用いて、燃料噴霧特性を推定する工程と、を備える。
【００２６】
また、本発明に係る燃料噴射弁内部形状推定装置は、燃料を噴出する噴孔を有する燃料噴射弁の内部形状を推定する装置であって、燃料噴射弁内部燃料流路と計算格子とを有するノズルモデルと、燃料噴射弁に加える燃料噴射圧を含む噴射条件と、実測で得られた実測ノズル流量係数Ｃｄ´とを表すデータを取得する手段と、噴孔入口端縁部の仮曲率半径Ｒａを表すデータを設定または取得する手段と、ノズルモデルと噴射条件と仮曲率半径Ｒａとを表すデータから、気液混相流数値解析法を用いて燃料噴射弁全開の定常状態での噴孔内部燃料流動を数値解析し、算出ノズル流量係数Ｃｄを算出する手段と、実測ノズル流量係数Ｃｄ´と算出ノズル流量係数Ｃｄとの差が、設定された所定のずれ許容範囲内にあるか否かを判定し、判定結果が肯定である場合に仮曲率半径Ｒａを実際の曲率半径として推定し、判定結果が否定である場合に算出ノズル流量係数Ｃｄの算出に使用する仮曲率半径Ｒａを変更する手段と、を備えることを特徴とする燃料噴射弁内部形状推定装置である。
【００２７】
また、本発明に係る燃料噴射弁内部形状推定装置において、好ましくは、推定された噴孔入口端縁部の曲率半径Ｒａを含む条件を用いて、燃料噴射弁の開閉動作に伴う非定常状態で、噴孔出口の噴射特性を推定する手段と、推定された噴射特性を用いて、燃料噴霧特性を推定する手段と、を備える。
【発明の効果】
【００２８】
本発明に係る燃料噴射弁内部形状推定方法及び燃料噴射弁内部形状推定装置によれば、気液混相流数値解析法を用いて燃料噴射弁全開の定常状態での噴孔内部燃料流動を数値解析し、算出ノズル流量係数Ｃｄを算出し、実測ノズル流量係数Ｃｄ´と算出ノズル流量係数Ｃｄとの差が、設定された所定のずれ許容範囲内にある場合に噴孔入口端縁部の仮曲率半径Ｒａを実際の曲率半径として推定できる。また、実際の噴孔内の流れは気液混相流となることが分かっている。このため、噴孔入口端縁部の曲率半径を高精度で推定でき、燃料噴射弁の内部形状の推定精度を高くできる。しかも、両流量係数Ｃｄ、Ｃｄ´に関する判定を自動で行えるため、推定結果を容易に取得することができる。
【００２９】
また、本発明に係る燃料噴射弁内部形状推定方法において、推定された噴孔入口端縁部の曲率半径Ｒａを含む条件を用いて、燃料噴射弁の開閉動作に伴う非定常状態で、噴孔出口の噴射特性を推定する工程と、推定された噴射特性を用いて、燃料噴霧特性を推定する工程と、を備える構成、または、本発明に係る燃料噴射弁内部形状推定装置において、推定された噴孔入口端縁部の曲率半径Ｒａを含む条件を用いて、燃料噴射弁の開閉動作に伴う非定常状態で、噴孔出口の噴射特性を推定する手段と、推定された噴射特性を用いて、燃料噴霧特性を推定する手段と、を備える構成によれば、燃料噴霧特性を高精度で推定できる。
【発明を実施するための最良の形態】
【００３０】
以下において、図面を用いて本発明に係る実施の形態につき詳細に説明する。図１から図３は、本発明の実施の形態の１例を示している。図１は、本実施の形態の燃料噴射弁内部形状推定装置である、燃料噴霧特性推定装置を示す基本構成図である。図２は、図１の噴孔入口曲率半径推定手段を詳しく示す構成図である。図３は、本実施の形態の燃料噴射弁内部形状推定方法である、燃料噴霧特性推定方法において、図５のステップＳ１に対応する構成を示すフローチャートである。
【００３１】
図１に示すように、本実施の形態の燃料噴霧特性推定装置２４は、コンピュータであり、処理部２６と、入力部２８と、出力部であるディスプレイ３０と、記憶部３２とを備える。処理部２６は、ＣＰＵ、メモリ等から構成され、データ取得手段３４と、噴孔入口曲率半径推定手段３６と、噴孔出口噴射特性推定手段３８と、燃料噴霧特性推定手段４０と、三次元ＣＡＤシステム４２と、図示しないディスプレイ表示画像生成手段とを備える。入力部２８は、キーボード、マウス等である。なお、本実施の形態は、上記の先発明の場合と同様に、上記の図４で示した燃料噴射装置である、インジェクタ１０の噴孔１８から噴射される燃料の噴霧特性を推定、例えばシミュレーションする。インジェクタ１０の構成は、上記の図４で説明したものと同様であり、燃料を噴出する噴孔１８を有する。以下の説明において、図４で示した要素と同等部分には同一の符号を付して説明する。なお、インジェクタ１０の噴孔１８は、図４で説明したように、ノズルボディ１４の軸方向（図４の上下方向）に対し傾斜した方向に形成されるものに限定されるものではなく、例えば軸線上に形成されるものにも、本実施の形態の燃料噴霧特性推定装置２４を適用できる。また、インジェクタ１０を有するエンジンは、ディーゼルエンジンに限定するものではなく、シリンダ１２内に直接燃料を噴射する直噴ガソリンエンジンとすることもできる。
【００３２】
三次元ＣＡＤシステム４２は、作業者により入力部２８からのデータの入力を受け付け、受け付けたデータに基づいて、対象物であるインジェクタ１０の内部形状を含む、インジェクタ１０の形状をモデル化し計算格子を含むノズルモデルの作成と、ディスプレイ３０における三次元または二次元上の形状の画面表示とを可能とする。ノズルモデルは、例えば、上記の図９、図１０で示したように、ニードル弁体１６とノズルボディ１４との間、噴孔１８等を含むインジェクタ内部燃料流路と計算格子とを有する。
【００３３】
三次元ＣＡＤシステム４２で作成した、計算格子を含むノズルモデルのデータは、記憶部３２、処理部２６内のメモリ等で記憶する。記憶部３２は、外部記憶装置としてのハードディスク、または、ＣＤ−ＲＯＭ、フロッピー（登録商標）ディスク等の記録媒体とする。また、記憶部３２は、回線により接続された遠隔場所にあるデータベース等としてもよい。記憶部３２には、インターフェースを介して別のコンピュータから入力された、計算格子を含むノズルモデルのデータを記憶させることもできる。また、記憶部３２に、燃料噴霧特性の推定を処理部２６に実行させるためのソフトウェアであるプログラムを記憶させることもできる。ディスプレイ３０は、ディスプレイ表示画像生成手段により、処理部２６で推定された噴孔入口曲率半径、噴孔出口噴射特性及び燃料噴霧特性に基づいて生成される画像等を表示可能とする。
【００３４】
また、本実施の形態の燃料噴霧特性推定装置２４は、インジェクタ１０の内部形状を推定する装置でもある。処理部２６が備えるデータ取得手段３４は、ノズルモデルと、ディーゼル燃料等の燃料種、インジェクタ１０に図示しない燃料ポンプから加えられる燃料の噴射圧力、すなわち、燃料ポンプの吐出圧等の噴射条件、予め実測で得られた実測ノズル流量係数Ｃｄ´をそれぞれ表すデータを取得する。これらのデータは、入力部２８、記憶部３２等から取得する。記憶部３２からデータを取得する場合には、作業者の入力部２８による操作に基づいてデータを処理部２６に取得可能とする。
【００３５】
また、データ取得手段３４は、後述する流量係数比較判定手段４４（図２）で使用する噴孔入口曲率半径増加ステップｓ、及び、流量係数差許容度Ｋ（％）を表すデータを、作業者の入力部２８による操作に基づいて取得可能とする。また、データ取得手段３４は、噴孔出口噴射特性推定手段３８（図１）で使用する、ニードル弁体１６のリフト量のタイムチャートを表すデータを取得可能とする。タイムチャートは、例えば、上記の先発明の説明で図１１に１例として説明した、ニードル弁体１６のリフト量と時間との関係を表すものである。
【００３６】
また、図２に示すように、噴孔入口曲率半径推定手段３６は、噴孔入口仮曲率半径設定手段４６と、流量係数算出手段４８と、流量係数比較判定手段４４とを備える。噴孔入口仮曲率半径設定手段４６は、予め記憶部３２または処理部２６のメモリに記憶された噴孔入口仮曲率半径Ｒａを読み出して、算出に使用する噴孔入口仮曲率半径Ｒａを設定する。例えば、Ｒａ＝０と設定する。
【００３７】
また、流量係数算出手段４８は、データ取得手段３４で取得されたノズルモデルと、噴孔入口仮曲率半径設定手段４６で設定された噴孔入口仮曲率半径Ｒａとから、噴孔入口仮曲率半径Ｒａに対応してノズルモデルを修正し、修正したノズルモデルと、データ取得手段３４で取得された噴射条件を表すデータとから、気液混相流数値解析法を用いてインジェクタ１０全開、すなわち、ニードル弁体１６のフルリフトの定常状態での噴孔内部燃料流動を数値解析し、算出ノズル流量係数Ｃｄを算出する。
【００３８】
また、流量係数比較判定手段４４は、データ取得手段３４で取得された実測ノズル流量係数Ｃｄ´と、算出ノズル流量係数Ｃｄとを比較し、両流量係数Ｃｄ´、Ｃｄの間の差が、設定された所定のずれ許容範囲内にあるか否かを判定する。そして、流量係数比較判定手段４４は、判定結果が肯定である場合に仮曲率半径Ｒａを実際の曲率半径として推定し、判定結果が否定である場合に算出ノズル流量係数Ｃｄの再度の算出に使用する仮曲率半径Ｒａを変更する。
【００３９】
図１に戻り、噴孔出口噴射特性推定手段３８は、噴孔入口曲率半径推定手段３６で推定された噴孔１８入口端縁部の曲率半径Ｒａを含む入力条件を用いて、インジェクタ１０の開閉動作に伴う非定常状態で、噴孔１８内の燃料流動特性、及び、噴孔１８出口の噴射特性を算出し、推定する。この算出の入力条件は、推定された曲率半径Ｒａ、推定された曲率半径Ｒａにより修正したノズルモデル、データ取得手段３４で取得されたニードル弁体１６のリフト量のタイムチャート等である。噴孔出口噴射特性推定手段３８は、これらの入力条件を用いて、インジェクタ１０の開閉動作、すなわち、ニードル弁体１６の往復移動に伴う非定常状態で、噴孔１８内の燃料流動特性と、噴孔１８出口の噴射特性とを、噴孔１８内の燃料流れを気液混相流として、気液混相流数値解析法を用いて算出し、推定する。算出される燃料流動特性及び噴射特性、すなわち算出結果の出力は、例えば、ノズル流量係数Ｃｄと、噴孔１８からの瞬時流量である噴射率と、噴孔１８出口面のキャビテーション、流速、及び乱れの分布と、噴孔１８内の空隙率分布とである。噴孔出口噴射特性推定手段３８は、噴孔１８出口の噴射特性のみを算出し、推定することもできる。
【００４０】
また、図１に示す燃料噴霧特性推定手段４０は、上記の算出結果の出力のうち、推定された噴孔１８出口面のキャビテーション、流速、及び乱れの分布を用いて、燃料噴霧特性を推定する。燃料噴霧特性は、燃料の噴霧長さであるペネトレーションと、燃料液滴の平均粒径等である。
【００４１】
また、処理部２６が有するディスプレイ表示画像生成手段は、噴孔入口曲率半径推定手段３６で推定された噴孔１８入口の曲率半径Ｒａと、噴孔出口噴射特性推定手段３８で推定された噴孔出口噴射特性と、燃料噴霧特性推定手段で推定された燃料噴霧特性とに基づいて生成される画像、例えば、上記の図１２で示したものに対応する、噴孔１８内及び噴孔１８出口の空隙率分布や、上記の図１３、図１４で示したものに対応する、噴霧形状を、ディスプレイ３０に表示させる。
【００４２】
次に、燃料噴霧特性の推定方法を含む、燃料噴射弁の内部形状の推定方法を、図３のフローチャートに基づいて説明する。なお、以下の説明において、図１、図２に示した要素と同一の要素には同一符号を付して説明する。燃料噴射弁であるインジェクタ１０の内部形状を推定する場合、図３のステップＳ１において、データ取得手段３４により、推定のための入力条件である、インジェクタ内部燃料流路と計算格子とを有するノズルモデルを表すノズルモデルデータ、噴射条件を表す噴射条件データ、実測流量係数Ｃｄ´、噴孔入口曲率半径増加ステップｓ、及び流量係数差許容度Ｋ（％）を表すデータを、記憶部３２、メモリ等で取得する工程を行う。ここで、ノズルモデルは、ニードル弁体１６のノズルボディ１４に対する当接部である弁座部よりも上流側の燃料通路から、下流側となる噴孔１８出口までの範囲を計算領域とした計算格子を含んでいる。また、噴射条件は、燃料種と、噴射圧及び雰囲気圧とを含んでいる。
【００４３】
次に、図３のステップＳ２で、噴孔入口仮曲率半径設定手段４６により、噴孔入口仮曲率半径Ｒａ、例えばＲａ＝０を表すデータを記憶部３２、メモリから読み出し、設定する工程を行う。この場合、Ｒａの初期値はＲａ＝１０％などとすることも可能である。
【００４４】
次に、ステップＳ３で、流量係数算出手段４８により、インジェクタ１０の全開の定常状態で、燃料流れを気液混相流として、噴孔１８内流れを解析する工程を行い、ステップＳ４で、算出ノズル流量係数Ｃｄを算出する工程を行う。この算出工程では、ステップＳ１で取得した、ノズルモデルの噴孔入口曲率半径を、設定された噴孔入口仮曲率半径Ｒａで修正したものと、噴射条件とを入力条件とし、この入力条件を用いて算出ノズル流量係数Ｃｄを算出する。
【００４５】
また、この場合、噴孔１８内流れの解析に、気液混相流数値解析法を用いる。気液混相流数値解析法は、例えばオイラー多流体モデルとすることもでき、燃料相、燃料蒸気相、空気相の三流体モデルにキャビテーションモデルを組み合わせることもできる。より具体的には、ノズルモデル内の流れ状態では、加圧された燃料が噴孔１８に流れ込む際に入口部で流れが剥離して、噴孔１８内の流路の有効断面積が実際の噴孔１８断面積よりも縮小したり、摩擦損失等の影響により流量係数が低下すると考えられている。また、噴孔１８入口部での流速増加により、流体力学的な減圧が生じ、局所の圧力が燃料の飽和蒸気圧以下となる場所では燃料が蒸発して燃料蒸気となるキャビテーションが発生すると考えられている。キャビテーションの発生によっても、噴孔１８内の流路の有効断面積が縮小するため、流量係数はこれによっても低下する。このため、本実施の形態のように、キャビテーションを考慮した気液混相流数値解析法を用いることで、流量係数について、インジェクタ１０内部形状とキャビテーションとの両方の影響を評価することが可能となる。
【００４６】
気液混相流数値解析法により算出する算出ノズル流量係数は、上記の先発明の場合のノズル流量係数と同様に、上記の（１）式でのＣｄで表されるものである。また、気液混相流数値解析法は、アンサンブル平均化処理を使用する。また、質量保存式と、運動量保存式と、乱流運動エネルギ方程式（ＴＫＥ）と、乱流エネルギ散逸方程式（ＴＥＤ）とを、液相と蒸気相とのそれぞれの相で解く。ここで、ｋ相についての支配方程式は、体積率αkと、２個の相の間の相互作用を考慮した付加的な中間相の交換成分とにより特徴づけられる。
【００４７】
ｋ相についての質量保存式は、次の（２）式となる。
【数１】
2009299561.tif 000003
ここで、Γklは、キャビテーションモデルが成立する場合において、ｋ相とｌ相との間での質量交換成分である。また、質量交換成分は、単純化されたレイリーの式により蒸発と凝縮とによる全蒸気気泡質量についての交換の割合から計算される。また、ρは密度であり、ｖは速度である。また、∇は微分演算子である。
【００４８】
また、次の（３）式が成立する。
【数２】
2009299561.tif 000004
ここで、添え字１と２とは、それぞれ液相と蒸気相とを表す。また、ｃRは、凝縮減少係数である。また、Ｒは気泡の半径であり、Δｐは流体圧と蒸気圧との間の圧力差であり、蒸気圧は、アントワンのｎ−ドデカンの式（Antoine's equation of n-dodecane）によって計算される。また、
【数３】
2009299561.tif 000005
であり、
【数４】
2009299561.tif 000006
である。ここで、ｐsatは、飽和蒸気圧であり、ｐは流体圧、ｐEは乱流圧力の変化量である。また、ＣEは、乱流圧力の変化についての補正係数であり、ｋ1は、液相の乱流運動エネルギである。また、
【数５】
2009299561.tif 000007
は、気泡数密度である。
【００４９】
さらに、ｋ相についての運動量の方程式は、次の（４）式となる。
【数６】
2009299561.tif 000008
ここで、τはせん断応力であり、Ｔはレイノルズ応力である。
【００５０】
また、運動量交換成分Ｍは、次の（５）式のように、抗力と乱流拡散力とにより影響される。
【数７】
2009299561.tif 000009
ここで、ＣDは抗力係数であり、
【数８】
2009299561.tif 000010
は、気泡断面積密度で、ＣTDは乱流拡散係数である。抗力は、単一の球の抗力の法則に基づいて求められる。乱流拡散力は、乱流混合プロセスによる気泡拡散について求められる。
【００５１】
上記の図３のステップＳ３、Ｓ４で使用する気液混相流数値解析法は、上記の保存式である、（２）式、（４）式を含む、質量保存式と、運動量保存式と、乱流運動エネルギ方程式（ＴＫＥ）と、乱流エネルギ散逸方程式（ＴＥＤ）とを、液相と蒸気相とのそれぞれの相で、上記の入力条件の下で数値計算により解くもので、上記の気液混相流数値解析法を用いて上記の算出ノズル流量係数Ｃｄを算出する。
【００５２】
次に、図３のステップＳ５において、流量係数比較判定手段４４により、データ取得手段３４で取得された実測ノズル流量係数Ｃｄ´と、ステップＳ３、Ｓ４で算出された算出ノズル流量係数Ｃｄとを比較し、両流量係数Ｃｄ´、Ｃｄの間の差が、設定された所定のずれ許容範囲内にあるか否かを判定する工程を行う。すなわち、ステップＳ１で取得された流量係数差許容度Ｋと、実測ノズル流量係数Ｃｄ´と、算出ノズル流量係数Ｃｄとを用いて、両流量係数Ｃｄ´、Ｃｄの関係が次の（６）式のようになるか否かを、流量係数比較判定手段４４により判定する工程を行う。
【００５３】
（１−０．０１Ｋ）Ｃｄ´≦Ｃｄ≦（１＋０．０１Ｋ）Ｃｄ´      （６）
【００５４】
流量係数比較判定手段４４により、ステップＳ５の判定結果が肯定であると判定された場合、すなわち、（６）式が成立すると判定された場合に、ステップＳ６に移行し、噴孔１８の入口端縁部の仮曲率半径Ｒａを実際の曲率半径として推定し、推定を終了する。例えば、流量係数差許容度を１％とする（Ｋ＝１とする）と、所定のずれ許容範囲は、０．９９Ｃｄ´以上１．０１Ｃｄ´以下の範囲となる。なお、Ｋ＝０として、算出ノズル流量係数Ｃｄと、実測ノズル流量係数Ｃｄ´とが完全に一致するか否かを判定することもできる。
【００５５】
これに対して、流量係数比較判定手段４４により、ステップＳ５の判定結果が否定であると判定された場合には、ステップＳ７に移行し、仮曲率半径Ｒａに、ステップＳ１で取得された噴孔入口曲率半径増加ステップｓと、噴孔１８断面の直径Ｄとを用いて、算出ノズル流量係数Ｃｄの再度の算出に使用する、噴孔１８入口端縁部の仮曲率半径Ｒａを変更する。すなわち、現在の仮曲率半径Ｒａに、噴孔入口曲率半径増加ステップｓと、噴孔１８断面の直径Ｄとの積を加算して得た（Ｒａ＋ｓＤ）を新たな仮曲率半径Ｒａに代入して、再びステップＳ３に戻り、ステップＳ５の判定結果が肯定となるまで、ステップＳ３からＳ５の工程を繰り返し、肯定と判定された場合には、ステップＳ７に移行する。例えば、噴孔入口曲率半径増加ステップｓは、０．１とする。Ｒａの修正方法としては、最適化手法（例えば、二分木法、勾配法など）を用いてもよい。
【００５６】
このようにして、噴孔１８入口端縁部の曲率半径Ｒａが推定されたならば、噴孔出口噴射特性推定手段３８により、推定された噴孔１８入口端縁部の曲率半径Ｒａ、推定された曲率半径Ｒａにより修正した噴孔１８等を含むノズルモデル、データ取得手段３４で取得されたニードル弁体１６のリフト量のタイムチャートを含む入力条件を用いて、インジェクタ１０の開閉動作に伴う非定常状態で、噴孔１８内の燃料流動特性、及び、噴孔１８出口の噴射特性を算出し、推定する工程を行う。これらの燃料流動特性及び噴射特性を推定する工程は、上記の図５を用いて説明した先発明の図５のステップＳ２の工程と同様である。この場合の噴射特性の算出は、噴孔１８内の燃料流れを気液混相流として、上記の（２）式から（５）式を用いて説明した気液混相流数値解析法を用いて行う。算出される特性、すなわち算出結果の出力は、ノズル流量係数Ｃｄと、瞬時流量である噴射率と、噴孔１８出口面のキャビテーション、流速、及び乱れの分布と、噴孔１８内の空隙率分布とである。この場合、上記の保存式である、（２）式、（４）式を含む、質量保存式と、運動量保存式と、乱流運動エネルギ方程式（ＴＫＥ）と、乱流エネルギ散逸方程式（ＴＥＤ）とを、液相と蒸気相とのそれぞれの相で、上記の入力条件の下で数値計算により解く。例えば、上記の保存式を、時間及び空間において離散化して表した、例えば差分方程式を用いて、噴孔１８を含む燃料流路内の流れ場を計算し、この計算を予め設定される所定の時間刻みごとに繰り返すことで、所定の時間刻みごとの噴射特性を推定する。また、ＷＡＶＥモデルに代えて、ＫＨ−ＲＴモデルまたはＴＡＢモデル等を利用することもできる。
【００５７】
次いで、上記の図５を用いて説明した図５のステップＳ３の工程と同様に、燃料噴霧特性推定手段４０により、上記の算出結果の出力のうち、推定された噴孔１８出口面のキャビテーション、流速、及び乱れの分布を境界条件として用いて、シリンダ１２（図４参照）内での燃料噴霧特性を推定する工程を行う。燃料噴霧特性は、燃料の噴霧長さであるペネトレーションと、燃料液滴の平均粒径等である。燃料噴霧特性の算出には、例えばシリンダ１２内での液柱の分裂挙動を、１次分裂モデルを用いて計算し、具体的には、燃料液滴の初期粒径、位置、及び速度を計算する。噴孔１８出口での液柱は円錐形状と仮定され、この円錐面上から燃料液滴がシリンダ１２内に入射される。その後、燃料液滴の挙動は、例えばＤＤＭと呼ばれる、離散液滴モデルを用いて計算し、その後、燃料液滴の２次分裂モデルは、例えばＷＡＶＥモデルを用いて計算し、燃料噴霧特性として、予め設定される所定の時間刻みごとの噴射特性を推定する。
【００５８】
そして、上記の工程により推定された、噴孔入口曲率半径Ｒａと、噴孔１８内燃料流動特性、噴孔１８出口の噴射特性及び燃料噴霧特性に基づいて生成される画像とのうち、少なくともいずれか１を、ディスプレイ表示画像生成手段により、ディスプレイに表示させる工程を行う。
【００５９】
このような本実施の形態の燃料噴射弁内部形状推定方法及び燃料噴射弁内部形状推定装置によれば、上記の先発明の場合と異なり、気液混相流数値解析法を用いてインジェクタ１０全開の定常状態での噴孔１８内部燃料流動を数値解析し、算出ノズル流量係数Ｃｄを算出し、実測ノズル流量係数Ｃｄ´と算出ノズル流量係数Ｃｄとの差が、設定された所定のずれ許容範囲内にある場合に噴孔１８入口端縁部の仮曲率半径Ｒａを実際の曲率半径として推定できる。また、実際の噴孔１８内の流れは気液混相流となることが分かっている。このため、噴孔１８入口端縁部の曲率半径を高精度で推定でき、インジェクタ１０の内部形状の推定精度を高くできる。しかも、両流量係数Ｃｄ、Ｃｄ´に関する判定を自動で行えるため、推定結果を容易に取得することができる。
【００６０】
また、本実施の形態では、推定された噴孔１８入口端縁部の曲率半径Ｒａを含む条件を用いて、インジェクタ１０の開閉動作に伴う非定常状態で、噴孔１８出口の噴射特性を推定する工程と、推定された噴射特性を用いて、燃料噴霧特性を推定する工程と、を備える。また、本実施の形態では、推定された噴孔１８入口端縁部の曲率半径Ｒａを含む条件を用いて、インジェクタ１０の開閉動作に伴う非定常状態で、噴孔１８出口の噴射特性を推定する噴孔出口噴射特性推定手段３８と、推定された噴射特性を用いて、燃料噴霧特性を推定する燃料噴霧特性推定手段４０とを備える。このため、燃料噴霧特性を高精度で推定できる。
【００６１】
なお、本発明の燃料噴射弁内部形状推定方法及び燃料噴射弁内部形状推定装置は、噴孔１８出口噴射特性を推定する工程と、燃料噴霧特性を推定する工程、及び、噴孔出口噴射特性推定手段３８と、燃料噴霧特性推定手段４０を、それぞれ備えるものに限定するものではなく、噴孔１８入口曲率半径Ｒａのみを推定するものでも、噴孔入口曲率半径Ｒａと噴孔１８出口噴射特性とのみを推定し、それぞれで推定した推定値または推定した特性に基づく画像をディスプレイ等に出力するものとすることもできる。
【００６２】
また、燃料噴射弁内部形状推定方法及び燃料噴射弁内部形状推定装置において、データ取得工程またはデータ取得手段３４で、噴孔１８入口端縁部の仮曲率半径Ｒａを、作業者の入力部２８による操作に基づいて、記憶部３２、メモリ等で取得するものとすることもできる。この場合には、図２に示した噴孔入口曲率半径推定手段３６から噴孔入口仮曲率半径設定手段４６を省略し、流量係数算出手段４８は、データ取得手段３４で取得された仮曲率半径Ｒａを用いて、ノズル流量係数を算出することもできる。
【図面の簡単な説明】
【００６３】
【図１】本発明の実施の形態の１例の燃料噴射弁内部形状推定装置である、燃料噴霧特性推定装置を示す基本構成図である。
【図２】図１の噴孔入口曲率半径推定手段を詳しく示す構成図である。
【図３】本発明の実施の形態の１例の燃料噴射弁内部形状推定方法である、燃料噴霧特性推定方法において、図５のステップＳ１に対応する構成を示すフローチャートである。
【図４】先発明の推定方法を適用する燃料噴射弁の断面図である。
【図５】先発明の推定方法を示すフローチャートである。
【図６】図５のステップＳ１を詳しく説明するためのフローチャートである。
【図７】噴孔を含むノズルボディと、ニードル弁体との一部と、計算格子とを示す図である。
【図８】流量係数の実測値と、計算例とを比較して示す図である。
【図９】ニードル弁体のリフト量が小さい燃料噴射の開始時及び終了時において、ニードル弁体とノズルボディとの一部と、計算格子と含むノズルモデルを示す図である。
【図１０】ニードル弁体のフルリフト時である、弁全開時において、ニードル弁体とノズルボディとの一部と、計算格子とを含むノズルモデルを示す図である。
【図１１】噴孔内の燃料流動の計算に使用する、ニードル弁体の移動量の時間変化を示す図である。
【図１２】ニードル弁体のフルリフト時である、弁全開時において、噴孔内及び噴孔出口の空隙率分布を示す図である。
【図１３】燃料噴霧特性の実験結果と計算結果とを、経過時間が異なる３例ずつで示す模式図である。
【図１４】図１３をより精度よく示す図である。
【符号の説明】
【００６４】
１０  インジェクタ、１２  シリンダ、１４  ノズルボディ、１６  ニードル弁体、１８  噴孔、２０  噴孔入口端縁部、２２  間部分、２４  燃料噴霧特性推定装置、２６  処理部、２８  入力部、３０  ディスプレイ、３２  記憶部、３４  データ取得手段、３６  噴孔入口曲率半径推定手段、３８  噴孔出口噴射特性推定手段、４０  燃料噴霧特性推定手段、４２  三次元ＣＡＤシステム、４４  流量係数比較判定手段、４６  噴孔入口仮曲率半径設定手段、４８  流量係数算出手段。
【図１】
2009299561.tif 000011
【図２】
2009299561.tif 000012
【図３】
2009299561.tif 000013
【図４】
2009299561.tif 000014
【図５】
2009299561.tif 000015
【図６】
2009299561.tif 000016
【図７】
2009299561.tif 000017
【図８】
2009299561.tif 000018
【図９】
2009299561.tif 000019
【図１０】
2009299561.tif 000020
【図１１】
2009299561.tif 000021
【図１２】
2009299561.tif 000022
【図１３】
2009299561.tif 000023
【図１４】
2009299561.tif 000024